【手続補正書】
【提出日】平成17年3月8日(2005.3.8)
【手続補正１】
【補正対象書類名】明細書
【補正対象項目名】全文
【補正方法】変更
【補正の内容】
【書類名】      明細書
【発明の名称】  商品陳列什器
【特許請求の範囲】
【請求項１】  商品陳列什器本体と、商品陳列什器本体の左右にある柱に取り付けるサイドパネルユニットとを備え、サイドパネルユニットは、柱カバー外部材と、柱カバー内部材と、柱カバー外部材と柱カバー内部材とに一側縁が挟持されるパネルとを備え、パネルは一側縁に被係止部を備え、柱カバー外部材及び柱カバー内部材の少なくとも一方にはパネル側縁の被係止部を係止するパネル係止部を長手方向に備え、柱カバー内部材はパネルの一側縁を柱カバー外部材とで挟んで柱カバー外部材にねじ止めしており且つ柱に設けてある被係合部との係合部を備えることを特徴とする商品陳列什器。
【請求項２】  パネル係止部は柱カバー外部材の長手方向に沿う両側にそれぞれ設けており、柱カバー外部材の両側にパネル側縁をそれぞれ係止可能であり、柱カバー外部材と柱カバー内部材とで２枚のパネルを同時に挟持可能としてあることを特徴とする請求項１に記載の商品陳列什器。
【請求項３】  商品陳列什器本体の下端に取り付けて、パネルの下端を受けるパネル受け部材を備えることを特徴とする請求項１又は２に記載の商品陳列什器。
【発明の詳細な説明】
【０００１】
【発明の属する技術分野】
本発明は、店舗等で商品を陳列する商品陳列什器に関する。
【０００２】
【従来の技術】
一般に、商品陳列什器には、その左右側に商品の転落を防止するためサイドパネルを設けることがある。かかる商品陳列什器として、例えば、特開平１１−７６０１６号公報には、商品陳列棚本体にサイドパネルを一体に設けた技術が開示されている。この公報に開示の技術では、サイドパネルは背板や天板等にサイドパネルをねじ固定して組み立てる必要があるため、サイドパネルは工場で取り付けた状態で出荷していた。したがって、従来、店舗等ではサイドパネルの後付けや交換等をおこなっていなかった。
【０００３】
【発明が解決しようとする課題】
しかしながら、サイドパネルを什器本体と分離して出荷し、店舗等で組み立てできれば、商品陳列什器の搬送もしやすくなるし、陳列する商品の種類や店舗内の意匠に応じてサイドパネルの選択の自由度も広がるという要望がある。
【０００４】
特に、店舗の模様替え等に応じてサイドパネルを取り替えたり、季節などによりサイドパネルのみを交換したいという要望がある。
また、従来の商品陳列用什器ではサイドパネルは什器本体に外側からねじ止めしているので、ねじの頭が露出してしまい、意匠性を害するという問題があった。
【０００５】
更に、商品の陳列を背中合わせに両側でおこないたい場合には２台の商品陳列什器を用いる必要があり、商品陳列什器の設置コストがかかるという問題があった。また、背中合わせで両側に商品を陳列する形態から片側にのみ商品を陳列する形態に変える場合には、使用しない商品陳列什器は倉庫に保管しておくため、これらの保管スペースが広く必要になるという問題がある。
【０００６】
本発明は、上述した事情に鑑みなされたもので、サイドパネルの取り付けが店舗等で容易にでき、意匠性に優れ且つ低コストな商品陳列什器の提供を目的とする。
【０００７】
【課題を解決するための手段】
上記目的を達成するために、請求項１に記載の発明は、商品陳列什器本体と、商品陳列什器本体の左右にある柱に取り付けるサイドパネルユニットとを備え、サイドパネルユニットは、柱カバー外部材と、柱カバー内部材と、柱カバー外部材と柱カバー内部材とに一側縁が挟持されるパネルとを備え、パネルは一側縁に被係止部を備え、柱カバー外部材及び柱カバー内部材の少なくとも一方にはパネル側縁の被係止部を係止するパネル係止部を長手方向に備え、柱カバー内部材はパネルの一側縁を柱カバー外部材とで挟んで柱カバー外部材にねじ止めしており且つ柱に設けてある被係合部との係合部を備えることを特徴とする。
【０００８】
この請求項１に記載の発明では、サイドパネルユニットの組み立ては、柱カバー外部材及び柱カバー内部材の少なくとも一方に設けたパネル係止部にパネルの被係止部を係止して、パネルを柱カバー外部材と柱カバー内部材とで挟むようにして柱カバー内部材を柱カバー外部材にねじ止めする。
パネルは被係止部をパネル係止部に係止することにより柱カバー外部材と柱カバー内部材との間に簡単に固定できる。
しかも、柱カバー外部材と柱カバー内部材との間にパネルを挟んでねじ固定するだけなので部品点数が少なく且つ構成が簡易であるとともに、意匠の異なるパネルの変更やパネルの取り替えも容易にできる。
【０００９】
そして、このようにして組み立てたサイドパネルユニットにおいて、柱カバー内部材に設けてある係合部を商品陳列什器本体（以下、単に「什器本体」という）の柱に係合することにより、サイドパネルユニットを什器本体に取り付ける。
サイドパネルユニットは、ねじ等を用いることなく係合により什器本体に取り付けるので、店舗等で容易に組み立てや交換ができるとともに、ねじの頭が外から見えることがなく、意匠性に優れる。
【００１０】
請求項２に記載の発明は、請求項１に記載の発明において、パネル係止部は柱カバー外部材の長手方向に沿う両側にそれぞれ設けており、柱カバー外部材の両側にパネル側縁をそれぞれ係止可能であり、柱カバー外部材と柱カバー内部材とで２枚のパネルを同時に挟持可能としてあることを特徴とする。
【００１１】
この請求項２に記載の発明では、請求項１に記載の作用効果を奏するとともに、パネル係止部は、柱カバー外部材の長手方向両側に設けているので、什器本体の両側に商品を陳列する場合には、２枚のパネルを一つの柱カバー外部材と一つの柱カバー内部材とで挟持して、２枚のパネルを什器本体の柱の両側に同時に取り付けできる。また、什器本体の片側にのみに商品を陳列する場合には、一枚のパネルのみを取り付ければ足りるので、パネルを１枚取り付ける場合と、２枚取り付ける場合との２つの態様が可能であり、使用形態の自由度が高い。
【００１２】
請求項３に記載の発明は、請求項１又は２に記載の発明において、商品陳列什器本体の下端に取り付けて、パネルの下端を受けるパネル受け部材を備えることを特徴とする。
【００１３】
この請求項３に記載の発明では、請求項１又は２に記載の作用効果を奏するとともに、パネルの下端を商品陳列什器本体に取り付けたパネル受け部材により受けるので、サイドパネルは柱カバーとパネル受け部材とによりパネルの２辺を保持しているので、パネルを安定して取り付けできる。  
【００１４】
【００１５】
【００１６】
【００１７】
【発明の実施の形態】
以下に、本発明の第１実施の形態を添付図面の図１乃至図６を参照して説明する。図１は本発明のサイドパネルユニットを什器本体に装着する工程を示す斜視図であり、図２は什器本体の柱に装着したサイドパネルユニットの横断面図であり、図３は図２に示すサイドパネルユニットを分解して示す断面図であり、図４（ａ）はサイドパネルユニットの分解斜視図であり、（ｂ）はサイドパネルユニとを組み立てた状態の下端の断面図であり、図５は柱カバー内部材の図であり、（ａ）は正面図、（ｂ）は（ａ）に示すＢ―Ｂ断面図、（ｃ）は端面側から見た側面図であり、図６は柱カバー外部材の図であり、（ａ）は裏面側から見た正面図、（ｂ）は端面側から見た側面図である。
【００１８】
本実施の形態にかかる商品陳列什器１は、ゴンドラ型の什器本体３と、什器本体３の両側面に装着されるサイドパネルユニット５とから構成されている。ゴンドラ型の什器本体３は柱７、７間に設けられた背面パネル９と台座１１とで全体として略Ｌ形状を成している。什器本体３では、台座１１で左右の柱７、７を連結しているとともに、パネル９の上に設けている連結材１０によっても柱７，７を連結している。尚、各図において一点鎖線で示すのは、背面パネル９の前後両側に商品を陳列する場合を示したものであり、両面に商品を陳列する場合には背面パネル９の裏面にももう一つの台座１２を設け、什器本体３は全体としてＴ字形状を成すとともに、サイドパネルユニット５には両側にパネル２７、２７を取り付けるものである。
【００１９】
柱７には、正面側及び裏面側の見付け面にブラケット等（角バー等）の係合孔１３が上下方向に多数形成されているとともに、外側見込み面には、サイドパネルユニット５の被係合部１５が上下に複数形成されている。この被係合部１５は、棚板の係合孔１３と同様に連結材１０用の孔として従来から形成されているものである。
【００２０】
柱７の上端には、サイドパネルユニット５を装着した後に柱カバー内外部材１９、２１（後述する）とともにこれらの上端に取り付けるキャップ１７が設けられているとともに、台座１１の下端にはパネル受け部材１９が装着されている。
パネル受け部材１９は、略コ字形状の係止片１８を台座１１の下端に掛けて係止しており、パネル２１（後述する）の下端を受けるものである。  
サイドパネルユニット５は、柱カバー外部材２１と、柱カバー内部材２３と、これらに一側縁２７ａが挟持されるパネル２７とにより構成されている。尚、本実施の形態では、柱カバー外部材２１と柱カバー内部材２３とで柱カバー２０を構成しており、柱カバー外部材２１と柱カバー内部材２３との間にパネル２７を挟持しないで柱カバー２０のみとしての使用も可能になっている。
【００２１】
パネル２７は、透明なアクリル樹脂性パネルである。このパネル２７の一側縁２７ａは直線状の端面であり、この一側縁に沿って被係止部２９が設けられている。被係止部２９は本実施の形態ではパネルよりも肉厚になっている段部であり、パネルと同じ材質の板が接着されている。
柱カバー外部材２１は、本実施の形態ではホロー形材であり、表面２１ａが露出される化粧面であり、裏面２１ｂにパネル２７を係止する２つのパネル係止部３１、３１が形成されている。
【００２２】
パネル係止部３１、３１は、柱カバー外部材２１の長手方向に沿う両側端に設けられており、横断面略コ字形状に形成している。パネル係止部３１、３１は裏面２１ｂに被係止部２９の厚み分の間隔を有しており、パネル２７の被係止部２９を係止している。
【００２３】
両側のパネル係止部３１、３１間には、パネル端面当接部３３、３３がそれぞれ柱カバー外部材の長手方向（上下方向）に沿って設けてあり、各パネル端面当接部３３、３３は突条に形成されている。２つのパネル端面当接部３３、３３間の幅寸法は、柱カバー内部材２３の嵌合部３５と略同じ幅寸法を有しており、パネル端面当接部３３、３３間に嵌合部３５が配置されている。換言すれば、パネル端面当接部３３、３３はパネル２７を位置決めするとともに、柱カバー内部材２３の位置決め及び回転防止をも行うものである。
【００２４】
尚、図４に示すように、柱カバー２０の下端には、下金具４９が取り付けられて下端をめくらにしており、台座１１の下にあるアジャスターの調節時に柱カバー２０の端面に手が直接触れないようにしている。この下金具４９はパネル２７の下端を受ける構成としてパネル保持機能を合わせ持つものであってもよい。
【００２５】
柱カバー内部材２３は、上述した柱カバー外部材２１のパネル端面当接部３３、３３間に嵌合する突状の嵌合部３５が形成されており、その両側にパネル押圧部３９が設けられている。柱カバー内部材２３は柱カバー外部材２１にねじ４１により柱カバー内部材２３側から柱カバー外部材２１側に向けてねじ固定されており、ねじ４１が外側に露出しないようになっている。
【００２６】
柱カバー内部材２３の嵌合部３５において凹側には、什器本体３の被係合部１５に係合する鉤状の係合部材（係合部）４５がスポット溶接により固定されている。この係合部材４５は柱カバー内部材２３の長手方向（上下方向）に少なくとも上下端部に２箇所設けられている。
尚、柱カバー２０は柱７に装着したときに柱カバー内部材２３は柱７に形成されている被係合部（被係合孔）１５及び余分なブラケットの係合孔１３（上下方向にある２列の係合孔のうちの一列）を隠して、商品陳列什器１の外観意匠を高めている。
【００２７】
次に、本実施の形態にかかるサイドパネルユニットの組み立て及び作用について説明する。まず、柱カバー外部材２１のパネル係止部３１にパネル２７の被係止部２９を係止する。この場合、パネルの一側縁２７ａの端面２７ｂをパネル端面当接部３３に当接させることによりパネル２７の位置決めができ、パネルの係止位置への係止が容易にできる。次に、パネル２７を柱カバー外部材２１と柱カバー内部材２３とで挟むように、柱カバー内部材２３をパネル２７に重ねるが、柱カバー内部材２３はその嵌合部３５をパネル端面当接部３３、３３間に嵌合して押えるだけで、柱カバー内部材２３が容易に位置決めできる。そして、そのまま、柱カバー内部材２３をねじ４１で柱カバー外部材２１に固定する。柱カバー外部材２１はホロー形材としてあり厚みがあるから、ねじ４１は柱カバー外部材２１を突き抜けることなく、外から見えないようにして取り付けできる。
【００２８】
このようにして、サイドパネルユニット５を組み立てるが、かかる組み立てにおいて、パネル２７を一枚のみ取り付ける場合には、パネル２７を片側のパネル係止部３１に係止すればよく、２枚取り付ける場合には両側のパネル係止部３１、３１にそれぞれパネル２７を係止するだけで、その他の組み立て工程は同じである。  
一方、什器本体３には、台座１１にパネル受け部材１９を係止し、図１に示すように、上から下にサイドパネルユニット５を柱７に掛けるようにして、柱カバー内部材２３に設けた係合部材４５を柱７の被係合部１５に係合させて取り付ける。サイドパネルユニット５はねじを用いずに、係合のみにより柱７に取り付けるので、組み立て作業が簡単であるとともに、店舗等の現場での組み立てが可能である。  
陳列する商品の変更や季節毎におこなう店舗内意匠の変更にあわせて、パネルユニット５を異なる意匠のパネル２７に変更したい場合には、什器本体３からパネルユニット５の係合を取り外し、新たなパネルユニットを柱７に係合するだけで意匠の変更が容易にできる。
【００２９】
また、什器本体３の片側に商品を陳列するタイプから両側に商品を陳列するタイプに変更したり、あるいはこの逆に両側の陳列から片側のみの陳列に変更する場合には２枚のパネル２７、２７を取付けたサイドパネルユニット５と、１枚のパネル２７を取付けたパネルユニット５とを入れ替えて取り付ければよい。あるいは、２枚のパネルを取り付けたサイドパネルユニット５のねじ４１を外して、パネルを１枚抜き取って元に戻したものを什器本体３に取り付けてもよい。
【００３０】
特に、片側にのみ商品を陳列するタイプの什器本体から両側に商品を陳列するタイプの什器本体に変更する場合において、図１に示すように什器本体３に台座１２を取り付けるだけで変更できる場合には、パネル２７を２枚取り付けたパネルユニット５と、パネル２７を１枚取り付けたパネルユニット５と台座１２とを用意しておけば片側用の商品陳列タイプから両側用の商品陳列タイプへの変更が容易にできる。この場合、従来のように両側用の商品陳列什器と、片側用の商品陳列什器との２種類の什器を用意したり、２つの片側用の商品陳列什器を用意しておく（両側陳列の場合には２つの片側用の商品陳列什器を背中合わせにして用いる）必要がなく、これらを保管しておくための倉庫スペースも小さくできるとともに、１台の片側用商品陳列什器本体３と、２種類のパネルユニット５、５と台座１２だけ用意すれば良いので商品陳列什器にかかるコストも低減できる。
【００３１】
更に、サイドパネルユニット５は、係合部材４５を柱７の被係合部１５に係合させる構成であるから、係合部材４５の形状を柱７の被係合部１５に一致するものにしておけば、製造元や種類に限定されず、種々のタイプの什器本体３に用いることができ、自由度が高い。
【００３２】
本発明は、上述した実施の形態に限定されず、本発明の要旨を逸脱しない範囲で種々の変形が可能である。
例えば、パネル２７はアクリル樹脂性や透明材に限らず、不透明な樹脂製であってもよいし、金属製であってもよい。
【００３３】
パネル２７に設ける被係止部２９は、段部に限らず溝や孔として、パネル係止部をこれに係合する突起等としてもよい。
係合部４５は、柱カバー内部材２３に別体のものを取り付けることに限らず、柱カバー内部材２３に一体形成したものであってもよい。  
柱カバー内部材２３と柱カバー外部材２１との固定は、柱カバー内部材２３側からねじ固定することに限らず、柱カバー外部材２１にボルトの頭を係止しておき、柱カバー内部材２３側からナットでボルトに螺合することにより固定するものであってもよい。
柱カバー外部材２１には、ねじ４１の貫通を補助する孔又はタップ孔を設けてもよい。
【００３４】
柱カバー外部材２１の材質は、形材でなく、板材を曲げたものや角材を削り出したものでもよい。また、形状はホローでなくてもよい。
柱７に設けているサイドパネルユニット５の被係合部１５は孔に限らず、突起としてサイドパネルユニット５の係合部４５を孔としてもよい。
パネル端面当接部３３、３３は、無くてもよい。
パネル２７の上下方向の長さ（高さ）は柱カバー２０の長さと略同じに揃えることに限らず、柱カバー２０の長さよりも短くてもよい。
【００３５】
パネル受け部材１９は、複数設けてもよいし、パネルの下部の一部を受けることに限らず、図９に示すように、パネル２７の下端に沿って設けパネル２７の下端全体を受けるものであってもよい。
【００３６】
パネル係止部３１は、図７の（ａ）に示すように、柱カバー内部材２３に設けてもよいし、同図（ｂ）に示すように、柱カバー内部材２３と柱カバー外部材２１との両方に設けてもよい。また、同図（ｃ）乃至（ｅ）に示しているのは、柱カバー内部材２３においてそれぞれ係合部材４５を取り付けている嵌合部３５の凹み量が異なる場合を示している。尚、図７は、パネル係止部３１を左右側に設ける場合の例であり且つパネル２７を装着しないで柱カバー２０のみとして柱７に装着した場合を示している。
【００３７】
図８に示しているのは左右の片側にのみパネル係止部３１を設ける場合を示したものであり、この場合においても、パネル係止部３１は、（ａ）に示すように、柱カバー内部材２３に設けてもよいし、同図（ｂ）に示すように、柱カバー内部材２３と柱カバー外部材２１との両方に設けてもよい。また、同図（ｃ）乃至（ｅ）に示しているのは、柱カバー内部材２３においてそれぞれ係合部材４５を取り付ける嵌合部の凹み量が異なる場合を示している。尚、この図８においても、図７と同様にパネル２７を装着しないで柱カバー２０のみとして柱７に装着した場合を示している。
【００３８】
【発明の効果】
請求項１に記載の発明によれば、パネルは被係止部をパネル係止部に係止することにより柱カバー外部材と柱カバー内部材との間に簡単に固定できる。
柱カバー外部材と柱カバー内部材との間にパネルを挟んでねじ固定するだけなので部品点数が少なく且つ構成が簡易であるとともに、意匠の異なるパネルの変更やパネルの取り替えも容易にできる。
【００３９】
サイドパネルユニットは、ねじ等を用いることなく係合により什器本体に取り付けるので、店舗等で容易に組み立てや交換ができるとともに、ねじの頭が外から見えることがなく、意匠性に優れる。
また、サイドパネルユニットの交換により、意匠の変更も容易である。
【００４０】
請求項２に記載の発明によれば、請求項１に記載の効果を奏するとともに、パネル係止部は、柱カバー外部材の長手方向両側に設けているので、２枚のパネルを同時に取り付けることが可能であり、什器本体の一側に商品を陳列する形態の場合にはパネルを１枚取り付け、什器本体の両側に商品を陳列する場合にはパネルを２枚取り付けでき、２つの態様が可能であり、使用形態の自由度が高い。
【００４１】
請求項３に記載の発明によれば、請求項２に記載の効果を奏するとともに、サイドパネルは柱カバーとパネル受け部材とによりパネルの２辺を保持しているので、パネルを安定して取り付けできる。
【００４２】
【００４３】
【図面の簡単な説明】
【図１】
本発明のサイドパネルユニットを什器本体に装着する組み立て工程を示す斜視図である。  
【図２】
サイドパネルユニットの横断面図である。
【図３】
図２に示すサイドパネルユニットを分解して示す断面図である。
【図４】
（ａ）はサイドパネルユニットの分解斜視図であり、（ｂ）はサイドパネルユニとを組み立てた状態の下端の縦断面図である。
【図５】
柱カバー内部材の図であり、（ａ）は正面図、（ｂ）は（ａ）に示すＢ―Ｂ断面図、（ｃ）は端面側から見た側面図である。  
【図６】
柱カバー外部材の図であり、（ａ）は裏面側から見た正面図、（ｂ）は端面側から見た側面図である。
【図７】
他の実施の形態にかかるサイドパネルユニットを柱に取り付けた状態を示す横断面図であり、（ａ）乃至（ｅ）は各変形例の断面図である。
【図８】
他の実施の形態にかかるサイドパネルユニットを柱に取り付けた状態を示す横断面図であり、（ａ）乃至（ｅ）は各変形例の断面図である。  
【図９】
他の実施の形態を示し、サイドパネルユニットを什器本体に装着する前の状態の斜視図である。  
【符号の説明】
１    商品陳列什器
３    什器本体（商品陳列什器本体）
５    サイドパネルユニット
７    柱
９    背面パネル
１５  被係合部
２０  柱カバー
２１  柱カバー外部材
２３  柱カバー内部材
２７  パネル
２９  被係止部
３１  パネル係止部
３５  嵌合部
４５  係合部